(57)【要約】【課題】送出局内において、デジタルデータ放送の不体裁／送出停止が発生したことを即座に知らせることが可能なデータ放送ＴＳモニタ装置を提供する。【解決手段】モジュール復元部１３によって受信されたデータ放送ＴＳから一旦モジュールを復元し、デジタル受信機エミュレート部１４によって復元されたモジュールのデータを、受信機で表示可能な全ページにわたりモニタ表示し、入力データが断した場合に、モニタ表示を消去するようにしている。【選択図】図１
2009124497.tif 000002
【特許請求の範囲】
【請求項１】
互いにページ構造となる複数のモジュールを組み合わせたデータ放送ＴＳ（Transport Stream）を受信する受信手段と、
この受信手段で受信されたデータ放送ＴＳから前記モジュールを復元する復元手段と、
この復元手段で復元されたモジュールをモニタ表示する表示手段と、
前記復元手段で復元されたモジュールを取り込んで、受信機で表示可能な全ページのデータを自動的に前記表示手段にモニタ表示させ、入力データが断した場合に、断の旨をユーザに報知する制御手段とを具備したことを特徴とするデータ放送ＴＳモニタ装置。
【請求項２】
前記制御手段は、入力データが断した場合に、モニタ表示を消去することを特徴とする請求項１記載のデータ放送ＴＳモニタ装置。
【請求項３】
前記制御手段は、前記復元手段で復元したモジュールのデータについて、内容の妥当性をチェックし、この結果をユーザに通知することを特徴とする請求項１記載のデータ放送ＴＳモニタ装置。
【請求項４】
前記制御手段は、内容の妥当性として、ページのリンクの正当性、バージョン情報の正当性、インデックス情報にあるサイズの正当性の少なくとも１つをチェックすることを特徴とする請求項３記載のデータ放送ＴＳモニタ装置。
【請求項５】
前記制御手段は、前記復元手段で復元したモジュールのデータ内容の妥当性のチェック結果をデータ放送制作設備及びデータ放送送出設備に通知する通知手段を備えたことを特徴とする請求項３記載のデータ放送ＴＳモニタ装置。
【請求項６】
互いにページ構造となる複数のモジュールを組み合わせたデータ放送ＴＳ（Transport Stream）を受信する受信ステップと、
この受信ステップで受信されたデータ放送ＴＳから前記モジュールを復元する復元ステップと、
この復元ステップで復元されたモジュールをモニタ表示する表示ステップと、
前記復元ステップで復元されたモジュールを取り込んで、受信機で表示可能な全ページのデータを自動的に前記表示ステップにモニタ表示させ、入力データが断した場合に、断の旨をユーザに報知する制御ステップと具備したことを特徴とするデータ放送ＴＳモニタ方法。
【発明の詳細な説明】
【技術分野】
【０００１】
この発明は、例えばデジタルテレビジョン放送の付加サービスとして提供されるデータ放送のＴＳ（以下、データ放送ＴＳと称する）の内容をデジタルデータ放送送出設備内で確認するためのデータ放送ＴＳモニタ装置及びデータ放送ＴＳモニタ方法に関する。
【背景技術】
【０００２】
一般に、データ放送では、番組を構成する複数のコンポーネント（ＥＳ：Elementary stream）をセクションと呼ばれるデータに分割し、カルーセルという単位で繰り返し送出する。カルーセルはセクションデータの集まりである。受信装置では、このカルーセルを受信し、番組を構成する全てのコンポーネントを受信した時点で番組内容の表示が完成する。
【０００３】
コンポーネントは複数のモジュールから構成されており、送出時にはセクションデータに分割されて送出される。天気予報画面を例にとると、画面フレームを構成するＢＭＬ文書、日本地図を示すイメージファイル、天気マークを示すイメージファイル、気温等を示すテキストファイルがコンポーネントを構成するモジュールとなり、送出時にはさらにセクションデータに分割される。
【０００４】
ところで、地上波デジタル放送では、メインキー局からサブキー局へ、サブキー局からローカル局へコンテンツを配信して互いにコンテンツを共有化しておき、個々の局でデータ放送ＴＳを生成して送出する運用が行われることとなっている。このような送出処理において、通常、データ放送ＴＳが正しく放送されているか否かの監視作業が行われている。
【０００５】
ところで、このデータ放送の監視を行う場合は、市販受信機及びＴＳ監視装置（例えば、特許文献１及び特許文献２）を用いていた。市販受信機を使用する場合、デジタルデータ放送の全てのページが正しく表示可能であるかどうかモニタリングでの監視を行うためには、定期的な人間系での再選局・ボタン操作などのリモコン操作が必須となっていた。また、データ放送の送出が番組途中で停止してしまった場合、市販受信機はすでに受信してキャッシュしたデータを表示し続けるため、モニタ視聴によるデータ放送送出停止を認識することが難しかった。
【０００６】
一方、ＴＳ監視装置を使用する場合、デジタル放送規格と照らし合わせて送出されているデータの整合性を確認できるが、視聴時の影響範囲については即座に知ることができず、解析のためにはデジタルデータ放送に関するデジタル放送規格の高度な知識を必要とした。
【特許文献１】特開平１１−１５０５６３公報
【特許文献２】特開２００１−６０９２５公報。
【発明の開示】
【発明が解決しようとする課題】
【０００７】
結果として、マスタ監視業務の中でデジタルデータ放送の不体裁／送出停止が発生したことを即座に知ることが難しい状況であった。
【０００８】
そこで、この発明の目的は、送出局内において、デジタルデータ放送の不体裁／送出停止が発生したことを即座に知らせることが可能なデータ放送ＴＳモニタ装置及びデータ放送ＴＳモニタ方法を提供することにある。
【課題を解決するための手段】
【０００９】
上記目的を達成するために、この発明に係るデータ放送ＴＳモニタ装置は、互いにページ構造となる複数のモジュールを組み合わせたデータ放送ＴＳ（Transport Stream）を受信する受信手段と、この受信手段で受信されたデータ放送ＴＳからモジュールを復元する復元手段と、この復元手段で復元されたモジュールをモニタ表示する表示手段と、復元手段で復元されたモジュールを取り込んで、受信機で表示可能な全ページのデータを自動的に表示手段にモニタ表示させ、入力データが断した場合に、断の旨をユーザに報知する制御手段とを備えるようにしたものである。なお、制御手段は、入力データが断した場合に、モニタ表示を消去するようにしている。
【００１０】
この構成によれば、受信されたデータ放送ＴＳから一旦モジュールを復元し、復元されたモジュールのデータを、受信機で表示可能な全ページにわたり表示器にモニタ表示させ、入力データが断した場合に、モニタ表示を消去するようにしているので、監視業務の中で、人間系による操作を行うことなく、データ放送の送出有無、視聴可否を確認することが可能となる。また、監視業務において、デジタルデータ放送に関するデジタル放送規格の高度な知識を有さずとも、視聴時の影響範囲が即座に判断できる。
【００１１】
制御手段は、前記復元手段で復元したモジュールのデータについて、内容の妥当性をチェックし、この結果をユーザに通知することを特徴とする。
【００１２】
この構成によれば、復元したデータに関する妥当性のチェック結果を簡易に知ることができ、データ放送不体裁があった場合に、問題切り分け（素材作成ミス／送出設備トラブル）が行いやすくなる。
【００１３】
制御手段は、復元手段で復元したモジュールのデータ内容の妥当性のチェック結果をデータ放送制作設備及びデータ放送送出設備に通知する通知手段を備えたことを特徴とする。
【００１４】
この構成によれば、検知した異常をデータ放送制作設備・データ放送送出設備に通知することにより、通知されたデータ放送制作設備・データ放送送出設備で、異常内容に応じた素材再転送・再送出制御などの自動復旧を行うことができる。
【発明の効果】
【００１５】
以上詳述したようにこの発明によれば、送出局内において、デジタルデータ放送の不体裁／送出停止が発生したことを即座に知らせることが可能なデータ放送ＴＳモニタ装置及びデータ放送ＴＳモニタ方法を提供することができる。
【発明を実施するための最良の形態】
【００１６】
以下、この発明の実施形態について図面を参照して詳細に説明する。
【００１７】
図１は本発明に係るデータ放送ＴＳモニタ装置を適用した送出装置の一実施形態を示している。
【００１８】
図１において、放送ＴＳ受信部１１は、デジタル放送ＴＳを受信する。受信したデータはフィルタリング部１２へ送られる。フィルタリング部１２は、入力された放送ＴＳからデジタルデータ放送に関するデータのみを抽出する。抽出したデータは、モジュール復元部１３へ送られる。また、入力データ断(ＴＳ・ＰＩＤ)を検知した場合は、入力データ断情報がデジタル受信機エミュレート部１４へ送られる。
【００１９】
モジュール復元部１３は、フィルタリング部１２より入力されたＴＳパケットデータより、データ放送のモジュールを復元する。復元されたモジュールデータは、モジュール整合性チェック部１５に送られる。
【００２０】
素材送出スケジュール管理部１６は、外部よりデータ放送用素材データの送出スケジュール登録を受け付ける。送出スケジュールではなく、実際にデータ放送送出設備の送出開始トリガと同等情報により送出対象の素材ＩＤ情報を受け付けることも可能である。素材ＩＤ情報は、モジュール整合性チェック部１５に送られる。
【００２１】
素材管理部１７は、外部よりデータ放送用素材データの登録を受け付けるとともに、データの蓄積、管理を行う。蓄積された素材データは、モジュール化部１８に送られる。
【００２２】
モジュール化部１８は、素材管理部１７より入力された素材データを、モジュールデータに変換（モジュール化）する。
【００２３】
モジュール整合性チェック部１５は、モジュール復元部１３より入力されたモジュールデータの整合性チェックを行う。合わせて、素材送出スケジュール管理部１６及びモジュール化部１８より素材ＩＤ及びモジュール化された素材データが入力された場合は、モジュール復元部１３より入力されたモジュールデータとの比較処理を行う。この場合、ページのリンクの正当性、バージョン情報の正当性、インデックス情報にあるサイズの正当性の少なくとも１つをチェックする。いずれも比較結果については、ログデータ管理部１９及びデータ放送設備通知部２０に送られる。比較の結果正常の場合には、モジュールデータがモジュール蓄積部２１に送られる。
【００２４】
モジュール蓄積部２１は、モジュール整合性チェック部１５より入力されたモジュールデータを蓄積する。
【００２５】
データ解析部２２は、モジュール蓄積部２１により格納されたモジュールデータについて、デジタル受信機エミュレート部１４で表示するためのデータ構造解析を行う。解析結果については、デジタル受信機エミュレート部１４、ログデータ管理部１９及びデータ放送設備通知部２０に送られる。
【００２６】
デジタル受信機エミュレート部１４は、データ解析部２２により解析されたデータ構造に従い、デジタル受信機を模擬したデジタルデータ放送のモニタ表示を行う。表示方法については、後述のＧＵＩ（グラフィカル・ユーザ・インターフェース）部２３により設定されたパラメータに従う。受信機表示できる全てのページについて一定周期で順に表示することや、一画面内に一度に表示することを可能とする。また、フィルタリング部１２から入力データ断情報を検知した場合は、ユーザが即座にデータ断を認識できるよう、表示画面を消去する。
【００２７】
表示内容、表示方法は機能動作設定部２４の設定に従う方法と、解析した素材に含まれるコメント情報に従う方法が選択できる。
【００２８】
ログデータ管理部１９は、各部の動作ログを収集し管理する。後述のＧＵＩ部２３を使用してユーザによる内容確認を可能とする。
【００２９】
ＧＵＩ部２３は、デジタル受信機エミュレート部１４によるデジタルデータ放送のモニタ表示、ログデータ管理部１９で収集したログの画面表示を行う。
【００３０】
また、ＧＵＩ操作による各部の動作パラメータ設定を行う。設定されたパラメータは機能動作設定部２４に送られる。
【００３１】
機能動作設定部２４は、ＧＵＩ操作により設定された各機能の動作パラメータ設定を、各部へ通知し、動作パラメータ変更を行う。
【００３２】
データ放送設備通知部２０は、モジュール整合性チェック部１５及びデータ解析部２２から送られた解析結果により、異常の場合にはデータ放送制作設備・データ放送送出設備への通知を行う。
【００３３】
次に、上記構成における動作について説明する。  
例えばキー局から送出されたデータ放送ＴＳは、放送ＴＳ受信部１１によって受信され、フィルタリング部１２によってデータ放送のカルーセルを構成するセクションデータが抽出される。ここで、１カルーセルにおいて、図２に示すように３つのモジュールＡ〜Ｃ（モジュールＩＤ１〜３）で構成されるコンテンツのセクション数（ブロック数）がそれぞれ６，２，３である。そして、１カルーセルは、図３に示す順序で配列されているとする。なお、ＴＳのＤＩＩ(Download Information Indication)には全てのモジュールＡ〜ＣのＩＤが記載されている。
【００３４】
フィルタリング部１２で抽出されたセクションデータは、モジュール復元部１３によってモジュール別に復元され、デジタル受信機エミュレート部１４によるモニタ表示処理に供される。
【００３５】
図４は、デジタル受信機エミュレート部１４によるモニタ表示処理動作を示すフローチャートである。
【００３６】
デジタル受信機エミュレート部１４は、データ解析部２２により解析されたモジュールデータをページ単位あるいは全ページ同時にモニタ表示し（ステップＳＴ４ａ）、断がある入力データがフィルタリング部１２から送られてきたか否かの判断を行う（ステップＳＴ４ｂ）。ここで、断がある入力データが送られてこなければ、デジタル受信機エミュレート部１４は、モニタ表示処理を全ページについて実行し、全ページの実行が完了した場合には、ステップＳＴ４ｃの処理からモニタ表示処理を終了する。
【００３７】
一方、断がある入力データが送られてきた場合、デジタル受信機エミュレート部１４は、モニタ表示を消去する（ステップＳＴ４ｄ）。
【００３８】
以上のように上記実施形態では、モジュール復元部１３によって受信されたデータ放送ＴＳから一旦モジュールを復元し、デジタル受信機エミュレート部１４によって復元されたモジュールのデータを、受信機で表示可能な全ページにわたりモニタ表示し、入力データが断した場合に、モニタ表示を消去するようにしている。
【００３９】
従って、監視業務の中で、人間系による操作を行うことなく、データ放送の送出有無、視聴可否を確認することが可能となる。また、監視業務において、デジタルデータ放送に関するデジタル放送規格の高度な知識を有さずとも、視聴時の影響範囲が即座に判断できる。
【００４０】
また、上記実施形態によれば、モジュール整合性チェック部１５によって、復元したデータに関する妥当性のチェック結果を簡易に知ることができ、データ放送不体裁があった場合に、問題切り分け（素材作成ミス／送出設備トラブル）が行いやすくなる。
【００４１】
さらに、上記実施形態によれば、データ放送設備通知部２０によって、検知した異常をデータ放送制作設備・データ放送送出設備に通知することにより、通知されたデータ放送制作設備・データ放送送出設備で、異常内容に応じた素材再転送・再送出制御などの自動復旧を行うことができる。
【００４２】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４３】
【図１】この発明に係るデータ放送ＴＳモニタ装置を適用した送出装置の一実施形態を示すブロック図。
【図２】同実施形態で取り扱うデータ放送ＴＳのモジュール構造を示す図。
【図３】同実施形態で取り扱うデータ放送ＴＳのカルーセル構造を示す図。
【図４】同実施形態におけるモニタ表示処理動作を示すフローチャート。
【符号の説明】
【００４４】
１１…放送ＴＳ受信部、１２…フィルタリング部、１３…モジュール復元部、１４…デジタル受信機エミュレート部、１５…モジュール整合性チェック部、１６…素材送出スケジュール管理部、１７…素材管理部、１８…モジュール化部、１９…ログデータ管理部、２０…データ放送設備通知部、２１…モジュール蓄積部、２２…データ解析部、２３…ＧＵＩ部、２４…機能動作設定部。
【図１】
2009124497.tif 000003
【図２】
2009124497.tif 000004
【図３】
2009124497.tif 000005
【図４】
2009124497.tif 000006